(57)【要約】【課題】回転機構の体格を小さくすることができるとともに、シート本体を円滑に回転させることが容易にできる。【解決手段】スライドテーブル３０には軸線Ｃを中心とするねじ孔３０ａが形成され、回転テーブル４０には軸線Ｃを中心とする孔であってねじ孔３０ａよりも大径の透孔４０ａが形成されている。透孔４０ａに挿通されるとともにねじ孔３０ａに螺合されるねじ５１ａが外周面に形成されたスリーブであって回転テーブル４０の上面を覆うスリーブ５０が設けられている。回転テーブル４０とスライドテーブル３０及びスリーブ５０との間にはローラ軸受７０，８０が設けられている。回転テーブル４０とスライドテーブル３０及びスリーブ５０の双方とには軸線Ｃに対して傾斜するとともに互いに平行な傾斜部４２，３３、５３が形成されている。また、これら傾斜部４２，３３，５３間にはローラ軸受７０，８０が設けられている。【選択図】図３
2014024407.tif 000002
【特許請求の範囲】
【請求項１】
車両本体に搭載される支持部材と、シート本体の下面に固定されるとともに上下方向に延びる軸線を中心に支持部材により回転可能に支持された回転部材とを備え、シート本体が前記軸線を中心に回転されるようにしたシートの回転機構において、
支持部材には前記軸線を中心とするねじ孔が形成され、
回転部材には前記軸線を中心とする孔であって前記ねじ孔よりも大径の透孔が形成され、
前記透孔に挿通されるとともに前記ねじ孔に螺合されるねじが外周面に形成されたスリーブであって回転部材の上面を覆うスリーブが設けられ、
回転部材と支持部材及びスリーブとの間には転がり軸受が設けられ、
回転部材と支持部材及びスリーブの少なくとも一方とには前記軸線に対して傾斜するとともに互いに平行な傾斜部が形成され、
これら傾斜部間に前記転がり軸受が設けられている、
ことを特徴とするシートの回転機構。
【請求項２】
前記傾斜部は支持部材及びスリーブの双方に形成され、
各傾斜部間に前記転がり軸受が設けられている、
請求項１に記載のシートの回転機構。
【請求項３】
回転部材と支持部材及びスリーブの少なくとも一方とにおいて前記軸線の延びる方向に直交する平面部間に前記転がり軸受が設けられている、
請求項１に記載のシートの回転機構。
【請求項４】
回転部材の傾斜部と支持部材及びスリーブの少なくとも一方の傾斜部との間と、これら傾斜部から延びるとともに前記軸線の延びる方向に直交する平面部間との双方に前記転がり軸受が設けられている、
請求項２又は請求項３に記載のシートの回転機構。
【請求項５】
車両本体に搭載される支持部材と、シート本体の下面に固定されるとともに上下方向に延びる軸線を中心に支持部材により回転可能に支持された回転部材とを備え、シート本体が前記軸線を中心に回転されるようにした回転機構において、
回転部材には前記軸線を中心とするねじ孔が形成され、
支持部材には前記軸線を中心とする孔であって前記ねじ孔よりも大径の透孔が形成され、
前記透孔に挿通されるとともに前記ねじ孔に螺合されるねじが外周面に形成されたスリーブであって支持部材の下面を覆うスリーブを備え、
支持部材と回転部材及びスリーブとの間には転がり軸受が設けられ、
支持部材と回転部材及びスリーブの少なくとも一方とには前記軸線に対して傾斜するとともに互いに平行な傾斜部が形成され、
これら傾斜部間に前記転がり軸受が設けられている、
ことを特徴とするシートの回転機構。
【請求項６】
前記傾斜部は回転部材及びスリーブの双方に形成され、
各傾斜部間に前記転がり軸受が設けられている、
請求項５に記載のシートの回転機構。
【請求項７】
支持部材と回転部材及びスリーブの少なくとも一方とにおいて前記軸線の延びる方向に直交する平面部間に前記転がり軸受が設けられている、
請求項５に記載のシートの回転機構。
【請求項８】
支持部材の傾斜部と回転部材及びスリーブの少なくとも一方の傾斜部との間と、これら傾斜部から延びるとともに前記軸線の延びる方向に直交する平面部間との双方に前記転がり軸受が設けられている、
請求項６又は請求項７に記載のシートの回転機構。
【請求項９】
車両本体に搭載される支持部材と、シート本体の下面に固定されるとともに上下方向に延びる軸線を中心に支持部材により回転可能に支持された回転部材とを備え、シート本体が前記軸線を中心に回転されるようにした回転機構において、
支持部材には前記軸線を中心とする透孔が形成され、
回転部材には前記透孔に挿通されるスリーブ部が形成されるとともに同スリーブ部の外周面には前記軸線を中心とするねじが形成され、
支持部材の下面を覆うとともに前記ねじに螺合されるねじ孔が形成された被覆部材を備え、
支持部材と回転部材及び被覆部材との間には転がり軸受が設けられ、
支持部材と回転部材及び被覆部材の少なくとも一方とには前記軸線に対して傾斜するとともに互いに平行な傾斜部が形成され、
これら傾斜部間に前記転がり軸受が設けられている、
ことを特徴とするシートの回転機構。
【請求項１０】
車両本体に搭載される支持部材と、シート本体の下面に固定されるとともに上下方向に延びる軸線を中心に支持部材により回転可能に支持された回転部材とを備え、シート本体が前記軸線を中心に回転されるようにした回転機構において、
回転部材には前記軸線を中心とする透孔が形成され、
支持部材には前記透孔に挿通されるスリーブ部が形成されるとともに同スリーブ部の外周面には前記軸線を中心とするねじが形成され、
回転部材の上面を覆うとともに前記ねじに螺合されるねじ孔が形成された被覆部材を備え、
回転部材と支持部材及び被覆部材との間には転がり軸受が設けられ、
回転部材と支持部材及び被覆部材の少なくとも一方とには前記軸線に対して傾斜するとともに互いに平行な傾斜部が形成され、
これら傾斜部間に前記転がり軸受が設けられている、
ことを特徴とするシートの回転機構。
【請求項１１】
前記転がり軸受はローラ軸受によって構成されている、
請求項１〜請求項１０のいずれか一項に記載のシートの回転機構。
【発明の詳細な説明】
【技術分野】
【０００１】
本発明は、車両のシート装置に適用され、上下方向に延びる軸線を中心にシート本体が回転されるようにしたシートの回転機構に関する。
【背景技術】
【０００２】
従来、例えば特許文献１に記載のシートの回転機構がある。特許文献１に記載のシートの回転機構は、車両本体に設けられる支持部材（スライド部材）と、同支持部材の上方に設けられて同支持部材により回転軸線を中心に回転可能に支持される回転部材（回転テーブル）とを備え、同回転部材（回転テーブル）と共にシート本体が車両本体に対して回転される。
【０００３】
具体的には、支持部材の上面には内輪が固設され、回転部材の下面には外輪が固設され、これら内輪の外周面に形成された受け溝と外輪の内周面に形成された受け溝との間には複数のボールが転動可能に設けられている。
【０００４】
こうしたシートの回転機構によれば、内輪の受け溝と外輪の受け溝とによってボールの位置を適切に設定することで回転部材のがたを低減させることができる。
【先行技術文献】
【特許文献】
【０００５】
【特許文献１】特開２００３―８０９８１号公報
【発明の概要】
【発明が解決しようとする課題】
【０００６】
ところで、上記特許文献１に記載のシートの回転機構においては、内輪の受けの溝と外輪の受け溝との間に寸法誤差が生じると、内輪及び外輪とボールとの間、すなわち支持部材と回転部材との間にがたが生じる。そのため、内輪の受け溝及び外輪の受け溝の加工には高い精度が求められ、当該加工が手間のかかるものとなる。
【０００７】
また、支持部材の上面と回転部材の下面との間にはボールの径よりも厚い内輪及び外輪が介在するため、回転機構の上下方向における体格を小さくすることが困難なものとなっている。
【０００８】
本発明の目的は、回転機構の体格を小さくすることができるとともに、シート本体を円滑に回転させることが容易にできるシートの回転機構を提供することにある。
【課題を解決するための手段】
【０００９】
上記目的を達成するため、本発明に従うシートの回転機構は、車両本体に搭載される支持部材と、シート本体の下面に固定されるとともに上下方向に延びる軸線を中心に支持部材により回転可能に支持された回転部材とを備え、シート本体が前記軸線を中心に回転される。シートの回転機構は、支持部材には前記軸線を中心とするねじ孔が形成され、回転部材には前記軸線を中心とする孔であって前記ねじ孔よりも大径の透孔が形成され、前記透孔に挿通されるとともに前記ねじ孔に螺合されるねじが外周面に形成されたスリーブであって回転部材の上面を覆うスリーブが設けられ、回転部材と支持部材及びスリーブとの間には転がり軸受が設けられ、回転部材と支持部材及びスリーブの少なくとも一方とには前記軸線に対して傾斜するとともに互いに平行な傾斜部が形成され、これら傾斜部間に前記転がり軸受が設けられている。
【００１０】
同態様によれば、支持部材とスリーブとが螺合され、これら支持部材及びスリーブの少なくとも一方に形成された傾斜部と、回転部材の傾斜部との間に転がり軸受が設けられる。このため、これら傾斜部間に設けられた転がり軸受によって、上下方向及び水平方向に作用する荷重を好適に分散させつつ的確に受けることができる。また、支持部材の上面と回転部材の下面との間には転がり軸受を構成する転動体のみが介在することとなるため、回転機構の体格が小さなものとなる。また、スリーブのねじの締め込み量を調節することによって回転部材、支持部材、及びスリーブによって各転動体が押圧される力を調節することができる。このため、構成部品に寸法精度のばらつきが存在する場合であっても、各転動体の摺動抵抗を適切に設定することができる。
【００１１】
従って、本発明によれば、回転機構の体格を小さくすることができるとともに、シート本体を円滑に回転させることが容易にできる。
この場合、前記傾斜部は支持部材及びスリーブの双方に形成され、各傾斜部間に前記転がり軸受が設けられている、といった態様が好ましい。
【００１２】
同態様によれば、回転部材、支持部材、及びスリーブにおける各傾斜部の寸法精度のばらつきがある程度大きい場合であっても、各傾斜部が適宜、弾性変形することによって当該ばらつきが好適に吸収される。従って、回転部材が一層円滑に回転されることとなり、シート本体を一層円滑に回転させることができる。
【００１３】
また、回転部材と支持部材及びスリーブの少なくとも一方とにおいて前記軸線の延びる方向に直交する平面部間に前記転がり軸受が設けられている、といった態様を採用することもできる。
【００１４】
これらの場合、回転部材の傾斜部と支持部材及びスリーブの少なくとも一方の傾斜部との間と、これら傾斜部から延びるとともに前記軸線の延びる方向に直交する平面部間との双方に前記転がり軸受が設けられている、といった態様が好ましい。
【００１５】
同態様によれば、例えば回転部材と支持部材との間には、これらの傾斜部間に加え、これらの平面部間にも転がり軸受を構成する転動体が設けられる。このため、支持部材に対する回転部材のがたつきを的確に抑制することができる。従って、シート本体を安定して支持することができる。
【００１６】
また、上記目的を達成するため、本発明に従うシートの回転機構は、車両本体に搭載される支持部材と、シート本体の下面に固定されるとともに上下方向に延びる軸線を中心に支持部材により回転可能に支持された回転部材とを備え、シート本体が前記軸線を中心に回転される。回転部材には前記軸線を中心とするねじ孔が形成され、支持部材には前記軸線を中心とする孔であって前記ねじ孔よりも大径の透孔が形成され、前記透孔に挿通されるとともに前記ねじ孔に螺合されるねじが外周面に形成されたスリーブであって支持部材の下面を覆うスリーブを備え、支持部材と回転部材及びスリーブとの間には転がり軸受が設けられ、支持部材と回転部材及びスリーブの少なくとも一方とには前記軸線に対して傾斜するとともに互いに平行な傾斜部が形成され、これら傾斜部間に前記転がり軸受が設けられている。
【００１７】
同構成によれば、回転部材とスリーブとが螺合され、これら回転部材及びスリーブの少なくとも一方に形成された傾斜部と、支持部材の傾斜部との間に転がり軸受が設けられる。このため、これら傾斜部間に設けられた転がり軸受によって、上下方向及び水平方向に作用する荷重を好適に分散させつつ的確に受けることができる。また、支持部材の上面と回転部材の下面との間には転がり軸受を構成する転動体のみが介在することとなるため、回転機構の体格が小さなものとなる。また、スリーブの締め込み量を調節することによって支持部材、回転部材、及びスリーブによって各転動体が押圧される力を調節することができる。このため、構成部品に寸法精度のばらつきが存在する場合であっても、各転動体の摺動抵抗を適切に設定することができる。
【００１８】
従って、本発明によれば、回転機構の体格を小さくすることができるとともに、シート本体を円滑に回転させることが容易にできる。
この場合、前記傾斜部は回転部材及びスリーブの双方に形成され、各傾斜部間に前記転がり軸受が設けられている、といった態様が好ましい。
【００１９】
同態様によれば、支持部材、回転部材、及びスリーブにおける各傾斜部の寸法精度のばらつきがある程度大きい場合であっても、各傾斜部が適宜、弾性変形することによって当該ばらつきが好適に吸収される。従って、回転部材が一層円滑に回転されることとなり、シート本体を一層円滑に回転させることができる。
【００２０】
また、支持部材と回転部材及びスリーブの少なくとも一方とにおいて前記軸線の延びる方向に直交する平面部間に前記転がり軸受が設けられている、といった態様を採用することもできる。
【００２１】
これらの場合、支持部材の傾斜部と回転部材及びスリーブの少なくとも一方の傾斜部との間と、これら傾斜部から延びるとともに前記軸線の延びる方向に直交する平面部間との双方に前記転がり軸受が設けられている、といった態様が好ましい。
【００２２】
同態様によれば、例えば支持部材と回転部材との間には、これらの傾斜部間に加え、これらの平面部間にも転がり軸受を構成する転動体が設けられる。このため、支持部材に対する回転部材のがたつきを的確に抑制することができる。従って、シート本体を安定して支持することができる。
【００２３】
また、上記目的を達成するため、本発明に従うシートの回転機構は、車両本体に搭載される支持部材と、シート本体の下面に固定されるとともに上下方向に延びる軸線を中心に支持部材により回転可能に支持された回転部材とを備え、シート本体が前記軸線を中心に回転される。支持部材には前記軸線を中心とする透孔が形成され、回転部材には前記透孔に挿通されるスリーブ部が形成されるとともに同スリーブ部の外周面には前記軸線を中心とするねじが形成され、支持部材の下面を覆うとともに前記ねじに螺合されるねじ孔が形成された被覆部材を備え、支持部材と回転部材及び被覆部材との間には転がり軸受が設けられ、支持部材と回転部材及び被覆部材の少なくとも一方とには前記軸線に対して傾斜するとともに互いに平行な傾斜部が形成され、これら傾斜部間に前記転がり軸受が設けられている。
【００２４】
同態様によれば、回転部材のスリーブ部と被覆部材とが螺合され、これら回転部材及び被覆部材の少なくとも一方に形成された傾斜部と、支持部材の傾斜部との間に転がり軸受が設けられる。このため、これら傾斜部間に設けられた転がり軸受によって、上下方向及び水平方向に作用する荷重を好適に分散させつつ的確に受けることができる。また、支持部材の上面と回転部材の下面との間には転がり軸受を構成する転動体のみが介在することとなるため、回転機構の体格が小さなものとなる。また、被覆部材の締め込み量を調節することによって支持部材、回転部材、及び被覆部材によって各転動体が押圧される力を調節することができる。このため、構成部品に寸法精度のばらつきが存在する場合であっても、各転動体の摺動抵抗を適切に設定することができる。
【００２５】
従って、本発明によれば、回転機構の体格を小さくすることができるとともに、シート本体を円滑に回転させることが容易にできる。
また、上記目的を達成するため、本発明に従うシートの回転機構は、車両本体に搭載される支持部材と、シート本体の下面に固定されるとともに上下方向に延びる軸線を中心に支持部材により回転可能に支持された回転部材とを備え、シート本体が前記軸線を中心に回転される。回転部材には前記軸線を中心とする透孔が形成され、支持部材には前記透孔に挿通されるスリーブ部が形成されるとともに同スリーブ部の外周面には前記軸線を中心とするねじが形成され、回転部材の上面を覆うとともに前記ねじに螺合されるねじ孔が形成された被覆部材を備え、回転部材と支持部材及び被覆部材との間には転がり軸受が設けられ、回転部材と支持部材及び被覆部材の少なくとも一方とには前記軸線に対して傾斜するとともに互いに平行な傾斜部が形成され、これら傾斜部間に前記転がり軸受が設けられている。
【００２６】
同態様によれば、支持部材のスリーブ部と被覆部材とが螺合され、これら支持部材及び被覆部材の少なくとも一方に形成された傾斜部と、回転部材の傾斜部との間に転がり軸受が設けられる。このため、これら傾斜部間に設けられた転がり軸受によって、上下方向及び水平方向に作用する荷重を好適に分散させつつ的確に受けることができる。また、支持部材の上面と回転部材の下面との間には転がり軸受を構成する転動体のみが介在することとなるため、回転機構の体格が小さなものとなる。また、被覆部材の締め込み量を調節することによって回転部材、支持部材、及び被覆部材によって各転動体が押圧される力を調節することができる。このため、構成部品に寸法精度のばらつきが存在する場合であっても、各転動体の摺動抵抗を適切に設定することができる。
【００２７】
従って、本発明によれば、回転機構の体格を小さくすることができるとともに、シート本体を円滑に回転させることが容易にできる。
また、前記転がり軸受はローラ軸受によって構成されている、といった態様が好ましい。この場合、支持部材、回転部材、及びスリーブにおける各傾斜部の寸法精度のばらつきがある程度大きい場合であっても、転がり軸受がローラ軸受であれば、各傾斜部がローラを挟んで適宜、弾性変形することによって当該ばらつきが好適に吸収される。従って、回転部材が一層円滑に回転されることとなり、シート本体を一層円滑に回転させることができる。
【図面の簡単な説明】
【００２８】
【図１】第１実施形態のシートの回転機構が適用された助手席シートを含む車両シートの配置態様を示す模式図。
【図２】同実施形態における助手席シートが車外に降下された状態のシート装置の側面図。
【図３】同実施形態のシートの回転機構を中心としたシート装置の縦断面構造を示す縦断面図。
【図４】図３のＡ部を拡大して示す図であって同実施形態のスライド機構の幅方向における一端の縦断面構造を拡大して示す拡大断面図。
【図５】図３のＢ部を拡大して示す図であって同実施形態のシートの回転機構の幅方向における一端の縦断面構造を拡大して示す拡大断面図。
【図６】（ａ）は同実施形態における保持器の斜視構造を示す斜視図、（ｂ）は同実施形態におけるローラユニットの部分断面構造を示す部分断面図。
【図７】第２実施形態のシートの回転機構の幅方向における一端の縦断面構造を拡大して示す拡大断面図。
【図８】変形例のシートの回転機構の幅方向における一端の縦断面構造を拡大して示す拡大断面図。
【図９】他の変形例のシートの回転機構の幅方向における一端の縦断面構造を拡大して示す拡大断面図。
【図１０】他の変形例のシートの回転機構の幅方向における一端の縦断面構造を拡大して示す拡大断面図。
【図１１】他の変形例のシートの回転機構の幅方向における一端の縦断面構造を拡大して示す拡大断面図。
【図１２】他の変形例のシートの回転機構の幅方向における一端の縦断面構造を拡大して示す拡大断面図。
【図１３】他の変形例のシートの回転機構の幅方向における一端の縦断面構造を拡大して示す拡大断面図。
【図１４】他の変形例のシートの回転機構の幅方向における一端の縦断面構造を拡大して示す拡大断面図。
【発明を実施するための形態】
【００２９】
＜第１実施形態＞
以下、図１〜図６を参照して、本発明を具体化した第１実施形態について説明する。
図１及び図２に示すように、車両の助手席には、略水平方向に沿ってシート本体３をスライドさせるスライド機構４、車両本体１に対して略鉛直方向に沿って延びる軸線を中心にシート本体３を回転させる回転機構５、及びシート本体３を昇降させる昇降機構６を備えたシート装置２が設けられている。
【００３０】
図２に示すように、車両本体１にはインナレール２０が固定されており、このインナレール２０上にはスライドテーブル３０が車両本体１に対して略水平方向に沿ってスライド可能に支持されている。これらインナレール２０及びスライドテーブル３０によってスライド機構４が構成される。
【００３１】
スライドテーブル３０上には回転テーブル４０が車両本体１に対して上記軸線を中心に回転可能に支持されている。これらスライドテーブル３０及び回転テーブル４０によって回転機構５が構成される。
【００３２】
回転テーブル４０上にはシート本体３を昇降させる昇降機構６が設けられており、昇降機構６によって、図中に実線にて示す状態と一点鎖線にて示す状態との間でシート本体３が昇降される。
【００３３】
次に、図３及び図４を参照して、スライド機構４の構造について詳細に説明する。
図３に示すように、インナレール２０は、平板状のレール本体２１と、このレール本体２１の幅方向（図３及び図４における左右方向）の両端から屈曲して上方に延び、更に屈曲して幅方向外側に延びる延設部２３と、この延設部２３の端部から屈曲して斜め下方に延びるとともに断面横Ｖ字状をなす屈曲部２２とを有している。
【００３４】
図４に示すように、屈曲部２２は、上下方向に沿って並設される一対の傾斜部（下側傾斜部２２ａ、上側傾斜部２２ｂ）によって構成され、これら傾斜部２２ａ，２２ｂは幅方向外側に向けて上下方向に互いに近接するように傾斜している。
【００３５】
図３に示すように、スライドテーブル３０は、平板状のテーブル本体３１と、このテーブル本体３１の幅方向の両端から屈曲して斜め下方に延びるとともに断面横Ｖ字状をなす屈曲部３２とを有している。
【００３６】
図４に示すように、屈曲部３２は、上下方向に沿って並設される一対の傾斜部（下側傾斜部３２ａ、上側傾斜部３２ｂ）によって構成され、これら傾斜部３２ａ，３２ｂは幅方向外側に向けて鉛直方向に互いに近接するように傾斜している。
【００３７】
インナレール２０及びスライドテーブル３０はそれらの一対の傾斜部２２ａ，２２ｂ，３２ａ，３２ｂが互いに対向している。すなわち、インナレール２０の一対の傾斜部２２ａ，２２ｂがスライドテーブル３０の一対の傾斜部３２ａ，３２ｂにより幅方向外側から覆われている。インナレール２０の端部及びスライドテーブル３０の端部は共に上下方向においてこれらインナレール２０のレール本体２１とスライドテーブル３０のテーブル本体３１との間に位置している。
【００３８】
ちなみに、インナレール２０及びスライドテーブル３０は共に金属材料（例えば鉄系材料）製の板材を折り曲げ加工することによって形成されている。
図４に示すように、インナレール２０の一対の傾斜部２２ａ，２２ｂとスライドテーブル３０の一対の傾斜部３２ａ，３２ｂとの間には、ローラユニット６０が設けられている。
【００３９】
ここで、ローラユニット６０の構成について説明する。
インナレール２０の下側傾斜部２２ａとスライドテーブル３０の下側傾斜部３２ａとの間にはスライドテーブル３０のスライド方向（図４の紙面に対して直交する方向）に沿って複数のローラ６１ａからなるローラ群６１が設けられている。
【００４０】
また、インナレール２０の上側傾斜部２２ｂとスライドテーブル３０の上側傾斜部３２ｂとの間にはスライドテーブル３０のスライド方向に沿って複数のローラ６１ａからなるローラ群６１が設けられている。
【００４１】
また、これらローラ群６１は共通の保持器６３によって保持されている。この保持器６３はスライド方向に沿って延びるとともに断面横Ｖ字状をなしている。また、保持器６３にはスライド方向に沿って複数の収容孔（図示略）が形成されている。
【００４２】
インナレール２０及びスライドテーブル３０にはこれらの幅方向における一端側にフック９０が設けられている。このフック９０は、スライドテーブル３０の屈曲部３２を幅方向外側から覆う屈曲部９１と、この屈曲部９１の上端から屈曲して幅方向内側に延びる延設部９２とを有している。屈曲部９１の内側の面はスライドテーブル３０の屈曲部３２の外側の面に当接している。また、延設部９２の下面はテーブル本体３１の上記幅方向の端部上面に当接している。
【００４３】
屈曲部９１の下端からは折り返し部９３が屈曲して幅方向内側に延びており、この折り返し部９３によってインナレール２０の屈曲部２２の端部とスライドテーブル３０の屈曲部３２の端部との双方が覆われている。更に、折り返し部９３はインナレール２０の屈曲部２２の内側に折り返されている。ここで、折り返し部９３とインナレール２０の屈曲部２２との間には間隙が形成されており、フック９０とインナレール２０とは非接触とされている。
【００４４】
フック９０のスライド方向における長さは、スライドテーブル３０よりも短くされている。
ちなみに、フック９０は金属材料（例えば鉄系材料）製の板材を折り曲げ加工することによって形成されている。
【００４５】
フック９０は、インナレール２０とスライドテーブル３０とが組み付けられた組付体の上記スライド方向における一端側から外嵌され、スポット溶接によってスライドテーブル３０に対して固定されている。
【００４６】
次に、図３及び図５を参照して、回転機構５の構造について詳細に説明する。
図３に示すように、スライドテーブル３０のテーブル本体３１には上下方向に延びる軸線Ｃを中心とするねじ孔３０ａが形成されている。また、このテーブル本体３１には、ねじ孔３０ａに近接するほど下方に向けて傾斜して延びる傾斜部３３が全周にわたって形成され、傾斜部３３の内周側端部から屈曲して内周側に延びる延設部３４が形成されている。この延設部３４に前記ねじ孔３０ａが形成されている。
【００４７】
回転テーブル４０は平板状のテーブル本体４１を有しており、このテーブル本体４１には上記軸線Ｃを中心とする透孔４０ａが形成されている。この透孔４０ａの直径はスライドテーブル３０のねじ孔３０ａよりも大きくされている。また、このテーブル本体４１には、自身の透孔４０ａに近接するほど下方に向けて傾斜して延びる傾斜部４２が全周にわたって形成されている。この傾斜部４２とスライドテーブル３０の傾斜部３３とは互いに平行に設けられている。
【００４８】
スライドテーブル３０のねじ孔３０ａには略円環状をなすスリーブ５０の基端部５１のねじ５１ａが螺合されている。この基端部５１は透孔４０ａに挿通されており、その上端部から屈曲して回転テーブル４０の傾斜部４２と平行に延びる傾斜部５３が形成され、この傾斜部５３の上端部から屈曲して幅方向外側に延びる延設部５４が形成されている。これら傾斜部５３及び延設部５４は回転テーブル４０の上面を覆う被覆部５２として機能する。
【００４９】
図５に示すように、回転テーブル４０とスライドテーブル３０との間にはローラ軸受７０が設けられている。
ここで、ローラ軸受７０の構成について説明する。
【００５０】
回転テーブル４０の傾斜部４２とスライドテーブル３０の傾斜部３３との対向空間には、ねじ孔３０ａの周方向に沿って位置する複数のローラ７１ａからなるローラ群７１が設けられている。また、回転テーブル４０のテーブル本体４１とスライドテーブル３０のテーブル本体３１との対向空間には、ねじ孔３０ａの周方向に沿って位置する複数のローラ７１ａによってローラ群７１が構成されている。またこれら対向空間には、これらローラ群７１を保持する保持器７３が設けられている。
【００５１】
また、回転テーブル４０とスリーブ５０との対向空間にはローラ軸受８０が設けられている。具体的には、回転テーブル４０の傾斜部４２とスリーブ５０の傾斜部５３との対向空間には、透孔４０ａの周方向に沿って位置する複数のローラ８１ａによってローラ群８１が構成されている。またこの対向空間には、ローラ群８１を保持する保持器８３が設けられている。
【００５２】
ここで、図６を参照して、ローラ軸受７０の構造について説明する。
図６（ａ）に示すように、保持器７３は略円環状をなしており、下方ほど縮径されて回転テーブル４０の傾斜部４２及びスライドテーブル３０の傾斜部３３に平行な傾斜部７４と、この傾斜部７４の上端部から屈曲して水平方向に延び、回転テーブル４０のテーブル本体４１及びスライドテーブル３０のテーブル本体３１に平行な平面部７５とを有している。また、これら傾斜部７４及び平面部７５には周方向に沿って複数の収容孔７６が等角度間隔にて形成されている。
【００５３】
図６（ｂ）に示すように、収容孔７６の内側面７６ａは、ローラ７１ａの外周面に沿った断面円弧状をなしている。また、保持器７３は耐摩耗性に優れた硬質合成樹脂によって形成されており、収容孔７６の縁部を弾性変形させることにより収容孔７６内にローラ７１ａが挿入可能とされる一方、収容孔７６の縁部によって収容孔７６内からローラ７１ａが抜け出すことが抑制される。
【００５４】
また、保持器８３は基本的には保持器７３の傾斜部７４と同様な形状を有しており、周方向に沿って複数の収容孔が上記収容孔７６と同様にして等角度間隔にて形成されている。
【００５５】
尚、保持器６３，８３の収容孔の断面構造は図６（ｂ）に示した上記保持器７３の断面構造と同様である。
こうした回転機構５の組み付けに際しては、スライドテーブル３０の上面にローラ軸受７０を載置し、このローラ軸受７０の上面に回転テーブル４０を載置し、この回転テーブル４０の上面にローラ軸受８０を載置する。そして、このローラ軸受８０の上方からスリーブ５０の基端部５１を挿入して、そのねじ５１ａをスライドテーブル３０のねじ孔３０ａに螺合させる。このとき、各ローラ７１ａ，８１ａの摺動抵抗が適切な大きさとなるように、スリーブ５０のねじ５１ａの締め込み量を適宜設定する。
【００５６】
次に、本実施形態の回転機構５の作用について説明する。
スライドテーブル３０及びスリーブ５０の被覆部５２の双方に形成される傾斜部３３，５３と、回転テーブル４０の傾斜部４２との各対向空間にローラ軸受７０，８０が設けられる。このため、これらローラ軸受７０，８０によって、上下方向及び水平方向に作用する荷重を好適に分散させつつ的確に受けることができる。
【００５７】
また、スライドテーブル３０の上面と回転テーブル４０の下面との間にはローラ軸受７０を構成するローラ群７１のみが介在することとなるため、スライドテーブルと回転テーブルとの間にローラ等の転動体の径よりも厚い内輪及び外輪が介在される構成に比べて、回転機構５の上下方向における体格を小さくすることができる。
【００５８】
また、スリーブ５０のねじ５１ａの締め込み量を調節することによって回転テーブル４０、スライドテーブル３０、及びスリーブ５０によって各ローラ群７１，８１が押圧される力を調節することができる。このため、スライドテーブル３０、回転テーブル４０、及びスリーブ５０といった構成部品に寸法精度のばらつきが存在する場合であっても、各ローラ７１ａ，８１ａの摺動抵抗を適切に設定することができる。尚、スリーブ５０のねじ５１ａの締め込み量が調節された後に、溶接等によってスリーブ５０と回転テーブル４０とは互いに固定されている。
【００５９】
また、各傾斜部３３，４２，５３の寸法精度のばらつきが、ある程度大きい場合であっても、各傾斜部３３，４２，５３が適宜、弾性変形することによって当該ばらつきが好適に吸収されるため、回転テーブル４０が円滑に回転される。
【００６０】
以上説明した本実施形態に係るシートの回転機構によれば、以下に示す効果が得られるようになる。
（１）スライドテーブル３０には軸線Ｃを中心とするねじ孔３０ａが形成され、回転テーブル４０には軸線Ｃを中心とする孔であってねじ孔３０ａよりも大径の透孔４０ａが形成されている。透孔４０ａに挿通されるとともにねじ孔３０ａに螺合されるねじ５１ａが外周面に形成されたスリーブであって回転テーブル４０の上面を覆うスリーブ５０が設けられている。回転テーブル４０とスライドテーブル３０及びスリーブ５０との間にはローラ軸受７０，８０が設けられている。回転テーブル４０とスライドテーブル３０及びスリーブ５０の双方とには軸線Ｃに対して傾斜するとともに互いに平行な傾斜部４２，３３、５３が形成されている。また、これら傾斜部４２，３３，５３間にはローラ軸受７０，８０が設けられている。こうした構成によれば、回転機構５の上下方向における体格を小さくすることができるとともに、シート本体３を円滑に回転させることが容易にできる。
【００６１】
（２）各傾斜部４２，３３，５３の寸法精度のばらつき（特にねじ孔３０ａ，４０ａの周方向におけるばらつき）がある程度大きい場合であっても、各傾斜部４２，３３，５３が適宜、弾性変形することによって当該ばらつきが好適に吸収されるため、回転テーブル４０が円滑に回転されることとなり、シート本体３を円滑に回転させることができる。
【００６２】
（３）回転テーブル４０の傾斜部４２とスライドテーブル３０の傾斜部３３との間と、これら傾斜部４２，３３から延びるとともに軸線Ｃの延びる方向に直交する各テーブル本体４１，３１（平面部）間との双方にローラ軸受７０が設けられている。こうした構成によれば、例えば回転部材と支持部材との間には、これらの傾斜部間に加え、これらの平面部間にもローラ軸受７０を構成するローラ７１ａが設けられる。このため、スライドテーブル３０に対する回転テーブル４０のがたつきを的確に抑制することができる。従って、シート本体３を安定して支持することができる。
【００６３】
＜第２実施形態＞
次に、図７を参照して、本発明の第２実施形態の回転機構１０５の構造について説明する。
【００６４】
以下、第１実施形態との相違点を中心に説明する。
図７に示すように、本実施形態の回転機構１０５では、スライドテーブル１３０には透孔１３０ａが形成され、回転テーブル１４０にねじ孔１４０ａが形成されている点が先の第１実施形態と大きく相違している。
【００６５】
すなわち、スライドテーブル１３０のテーブル本体１３１には、透孔１３０ａに近接するほど上方に向けて傾斜して延びる傾斜部１３３が全周にわたって形成されている。
回転テーブル１４０のテーブル本体１４１には、ねじ孔１４０ａに近接するほど上方に向けて傾斜して延びる傾斜部１４２が全周にわたって形成されており、傾斜部１４２の内周側端部から屈曲して内周側に延びる延設部１４３が形成されている。この延設部１４３に上記ねじ孔１４０ａが形成されている。
【００６６】
スリーブ１５０の先端部１５１の外周面には螺旋状のねじ１５１ａが形成されており、このねじ１５１ａは回転テーブル１４０のねじ孔１４０ａに螺合されている。スリーブ１５０には先端部１５１の下端部から屈曲してスライドテーブル１３０の傾斜部１３３と平行に延びる傾斜部１５３が形成され、この傾斜部１５３の下端部から屈曲して幅方向外側に延びる延設部１５４が形成されている。これら傾斜部１５３及び延設部１５４はスライドテーブル１３０の下面を覆う被覆部１５２として機能する。
【００６７】
また、回転テーブル１４０とスライドテーブル１３０との対向空間にはローラ軸受１７０が設けられている。
このローラ軸受１７０には、回転テーブル１４０の傾斜部１４２とスライドテーブル１３０の傾斜部１３３との対向空間において、透孔１３０ａの周方向に沿って位置する複数のローラ１７１ａによって構成されるローラ群１７１が設けられている。また、各テーブル１３０，１４０のテーブル本体１３１，１４１の対向空間において、透孔１３０ａの周方向に沿って位置する複数のローラ１７１ａによって構成されるローラ群１７１が設けられている。更に、これらローラ群１７１を保持する保持器１７３が設けられている。
【００６８】
また、スライドテーブル１３０とスリーブ１５０との対向空間にはローラ軸受１８０が設けられている。このローラ軸受１８０には、スライドテーブル１３０の傾斜部１３３とスリーブ１５０の傾斜部１５３との対向空間において、ねじ孔３０ａの周方向に沿って位置する複数のローラ１８１ａによって構成されるローラ群１８１と、このローラ群１８１を保持する保持器１８３とが設けられている。尚、保持器１７３は先の第１実施形態の保持器７３の形状に準じた形状を有している。また、保持器１８３は先の第１実施形態の保持器８３の形状に準じた形状を有している。
【００６９】
次に、本実施形態の回転機構１０５の作用について説明する。
回転テーブル１４０及びスリーブ１５０の被覆部１５２の双方に形成される傾斜部１４２，１５３と、スライドテーブル１３０の傾斜部１３３との対向空間にローラ軸受１７０，１８０が設けられる。このため、当該ローラ軸受１７０，１８０によって、上下方向及び水平方向に作用する荷重を好適に分散させつつ的確に受けることができる。
【００７０】
また、スライドテーブル１３０の上面と回転テーブル１４０の下面との間にはローラ軸受１８０を構成するローラ群１８１のみが介在することとなるため、スライドテーブルと回転テーブルとの間にローラ等の転動体の径よりも厚い内輪及び外輪が介在される構成に比べて、回転機構１０５の上下方向における体格を小さくすることができる。
【００７１】
また、スリーブ１５０のねじ１５１ａの締め込み量を調節することによって回転テーブル１４０、スライドテーブル１３０、及びスリーブ１５０によって各ローラ群１７１，１８１が押圧される力を調節することができる。このため、スライドテーブル１３０、回転テーブル１４０、及びスリーブ１５０といった構成部品に寸法精度のばらつきが存在する場合であっても、各ローラ１７１ａ，１８１ａの摺動抵抗を適切に設定することができる。
【００７２】
また、各傾斜部１３３，１４２，１５３の寸法精度のばらつきが、ある程度大きい場合であっても、各傾斜部１３３，１４２，１５３が適宜、弾性変形することによって当該ばらつきが好適に吸収されるため、回転テーブル１４０が円滑に回転される。
【００７３】
以上説明した本実施形態に係るシートの回転機構によれば、先の第１実施形態の効果（１）、（２）に準じた効果が得られるようになる。
＜変形例＞
尚、本発明に係るシートの回転機構は、上記実施形態にて例示した構成に限定されるものではなく、これを適宜変更した例えば次のような形態として実施することもできる。
【００７４】
・上記第１実施形態にて例示した回転機構５に代えて（図５参照）、ローラ軸受７０を構成するローラ群７１において回転テーブル４０のテーブル本体４１とスライドテーブル３０のテーブル本体３１との間に設けられるローラ群７１を省略するようにした構成を採用してもよい。
【００７５】
・また、図８に示すようなローラ軸受２７０，２８０を備える回転機構２０５を採用することもできる。すなわち、上記変形例と同様にして、回転テーブル４０の傾斜部４２とスライドテーブル３０の傾斜部３３との間にローラ群２７１が設けられ、回転テーブル４０のテーブル本体４１とスライドテーブル３０のテーブル本体３１との間にはローラ群が設けられていない。更に、上記変形例とは異なり、回転テーブル４０のテーブル本体４１とスリーブ５０の延設部５４との間にローラ群２８１が設けられ、回転テーブル４０の傾斜部４２とスリーブ５０の傾斜部５３との間にはローラ群が設けられていない。ここで、回転テーブル４０のテーブル本体４１が本発明に係る平面部として機能する。
【００７６】
・上記第１実施形態にて例示した回転機構５に代えて、図９に示すようなローラ軸受３７０，８０を備える回転機構３０５を採用することもできる。すなわち、回転テーブル４０のテーブル本体４１とスライドテーブル３０のテーブル本体３１との間にはローラ群３７１が設けられ、回転テーブル４０の傾斜部４２とスライドテーブル３０の傾斜部３３との間にはローラ群が設けられていない。ここで、回転テーブル４０のテーブル本体４１が本発明に係る平面部として機能する。
【００７７】
・上記第２実施形態にて例示した回転機構１０５に代えて、ローラ軸受１７０を構成するローラ群１７１において回転テーブル１４０のテーブル本体１４１とスライドテーブル１３０のテーブル本体１３１との間に設けられるローラ群１７１を省略するようにしてもよい。
【００７８】
・また、図１０に示すようなローラ軸受４７０，４８０を備える回転機構４０５を採用することもできる。すなわち、上記変形例と同様にして、回転テーブル１４０の傾斜部１４２とスライドテーブル１３０の傾斜部１３３との間にローラ群４７１が設けられ、回転テーブル１４０のテーブル本体１４１とスライドテーブル１３０のテーブル本体１３１との間にはローラ群が設けられていない。更に、回転テーブル１４０のテーブル本体１４１とスリーブ１５０の延設部１５４との間にはローラ群４８１が設けられ、回転テーブル１４０の傾斜部１４２とスリーブ１５０の傾斜部１５３との間にローラ群が設けられていない。ここで、スライドテーブル１３０のテーブル本体１３１が本発明に係る平面部として機能する。
【００７９】
・上記第２実施形態にて例示した回転機構１０５に代えて、図１１に示すようなローラ軸受５７０，１８０を備える回転機構５０５を採用することもできる。すなわち、回転テーブル１４０のテーブル本体１４１とスライドテーブル１３０のテーブル本体１３１との間にはローラ群５７１が設けられ、回転テーブル１４０の傾斜部１４２とスライドテーブル１３０の傾斜部１３３との間にはローラ群が設けられていない。ここで、スライドテーブル１３０のテーブル本体１３１が本発明に係る平面部として機能する。
【００８０】
・上記各実施形態及びそれらの変形例では、回転機構が、スライドテーブル、回転テーブル、及びスリーブが互いに平行な傾斜部をそれぞれ備えるものについて例示したが、本発明はこれに限られるものではない。例えば、図１２に示すように、スリーブ６５０が傾斜部を有しない回転機構６０５とすることもできる。
【００８１】
以下、上記第２実施形態との相違点を中心に説明する。
すなわち、図１２に示すように、スライドテーブル６３０のテーブル本体６３１には、透孔６３０ａに近接するほど下方に向けて傾斜して延びる傾斜部６３３が全周にわたって形成されている。
【００８２】
回転テーブル６４０のテーブル本体６４１には、ねじ孔６４０ａに近接するほど下方に向けて傾斜して延びる傾斜部６４２が全周にわたって形成されており、傾斜部６４２の内周側端部から屈曲して内周側に延びる延設部６４３が形成されている。この延設部６４３に上記ねじ孔６４０ａが形成されている。
【００８３】
スリーブ６５０には幅方向外側に延びるとともにスライドテーブル６３０の下面を覆う被覆部６５２が形成されている。
回転テーブル６４０の傾斜部６４２とスライドテーブル６３０の傾斜部６３３との対向空間には、ローラ軸受６７０が設けられている。また、スライドテーブル６３０の延設部６３４とスリーブ６５０の被覆部６５２との対向空間には、ローラ軸受６８０が設けられている。
【００８４】
ここで、スライドテーブル６３０のテーブル本体６３１が本発明に係る平面部として機能する。
・上記第２実施形態及びその変形例では、スリーブ１５０の先端部１５１が、スライドテーブル１３０の透孔１３０ａに挿通されるとともに、同先端部１５１に形成されたねじ１５１ａが回転テーブル１４０のねじ孔１４０ａに螺合される回転機構１０５について例示した。これに代えて、図１３に示すように、回転テーブル７４０のスリーブ部７４５が、スライドテーブル７３０の透孔７３０ａに挿通されるとともに、同スリーブ部７４５の先端部の外周面に形成されたねじ７４６が被覆部材７５０のねじ孔７５１ａに螺合される回転機構７０５としてもよい。
【００８５】
以下、上記第２実施形態との相違点を中心に説明する。
すなわち、図１３に示すように、スライドテーブル７３０のテーブル本体７３１には、透孔７３０ａに近接するほど下方に向けて傾斜して延びる傾斜部７３３が全周にわたって形成されている。
【００８６】
回転テーブル７４０のテーブル本体７４１には、内周側ほど下方に向けて傾斜して延びる傾斜部７４２が全周にわたって形成されている。また、傾斜部７４２の内周側端部から屈曲して下方に向けて延びるスリーブ部７４５が形成されている。このスリーブ部７４５の外周面にねじ７４６が形成されている。
【００８７】
被覆部材７５０は、スライドテーブル７３０の傾斜部７３３に沿って延びる傾斜部７５３と、同傾斜部７５３の内周側端部から内周側に向けて延びる延設部７５１とを有しており、スライドテーブル７３０の下面を覆っている。また、延設部７５１には上記ねじ７４６に螺合されるねじ孔７５１ａが形成されている。
【００８８】
ここで、スライドテーブル７３０のテーブル本体７３１の上面と回転テーブル７４０のテーブル本体７４１の下面との間にローラ軸受７７０が設けられている。また、スライドテーブル７３０の傾斜部７３３と被覆部材７５０の傾斜部７５３との間にローラ軸受７８０が設けられている。
【００８９】
尚、ローラ軸受の配置はこれに限られるものではなく、他に例えばスライドテーブル７３０のテーブル本体７３１の上面と回転テーブル７４０のテーブル本体７４１の下面との間に代えて、或いはこれ加えて、スライドテーブル７３０の傾斜部７３３と回転テーブル７４０の傾斜部７４２との間にローラ軸受を設けるようにしてもよい。
【００９０】
・上記第１実施形態及びその変形例では、スリーブ５０の基端部５１が、回転テーブル４０の透孔４０ａに挿通されるとともに、同基端部５１に形成されたねじ５１ａがスライドテーブル３０のねじ孔３０ａに螺合される回転機構５について例示した。これに代えて、図１４に示すように、スライドテーブル８３０のスリーブ部８３５が、回転テーブル８４０の透孔８４０ａに挿通されるとともに、同スリーブ部８３５の先端部の外周面に形成されたねじ８３６が被覆部材８５０のねじ孔８５１ａに螺合される回転機構８０５としてもよい。
【００９１】
以下、上記第１実施形態との相違点を中心に説明する。
すなわち、図１４に示すように、回転テーブル８４０のテーブル本体８４１には、透孔８４０ａに近接するほど上方に向けて傾斜して延びる傾斜部８４２が全周にわたって形成されている。
【００９２】
スライドテーブル８３０のテーブル本体８３１には、上記軸線Ｃに近接するほど上方に向けて傾斜して延びる傾斜部８３３が全周にわたって形成されている。また、傾斜部８３３の内周側端部から屈曲して上方に向けて延びるスリーブ部８３５が形成されている。このスリーブ部８３５の外周面にねじ８３６が形成されている。
【００９３】
被覆部材８５０は、回転テーブル８４０の傾斜部８４２に沿って延びる傾斜部８５３と、同傾斜部８５３の内周側端部から内周側に向けて延びる延設部８５１とを有しており、回転テーブル８４０の上面を覆っている。また、延設部８５１には上記ねじ８３６に螺合されるねじ孔８５１ａが形成されている。
【００９４】
ここで、スライドテーブル８３０のテーブル本体８３１の上面と回転テーブル８４０のテーブル本体８４１の下面との間にローラ軸受８７０が設けられている。また、回転テーブル８４０の傾斜部８４２と被覆部材８５０の傾斜部８５３との間にローラ軸受８８０が設けられている。
【００９５】
尚、ローラユニットの配置はこれに限られるものではなく、他に例えばスライドテーブル８３０のテーブル本体８３１の上面と回転テーブル８４０のテーブル本体８４１の下面との間に代えて、或いはこれに加えて、スライドテーブル８３０の傾斜部８３３と回転テーブル８４０の傾斜部８４２との間にローラユニットを設けるようにしてもよい。
【００９６】
・上記実施形態のように転がり軸受としてローラ軸受を採用することが、回転機構５の耐久性を高める上では望ましい。しかしながら、本発明はこれに限られるものではなく、ローラ軸受に代えてボール軸受を採用することもできる。
【符号の説明】
【００９７】
１…車両本体、２…シート装置、３…シート本体、４…スライド機構、５，１０５…回転機構、６…昇降機構、２０…インナレール、３０…スライドテーブル（支持部材）、３０ａ…ねじ孔、３１…テーブル本体、３２…屈曲部、３３…傾斜部、３４…延設部、４０…回転テーブル（回転部材）、４０ａ…透孔、４１…テーブル本体、４２…傾斜部、５０…スリーブ、５１…基端部、５１ａ…ねじ、５２…被覆部、５３…傾斜部、５４…延設部、６０…ローラユニット、６１…ローラ群、６１ａ…ローラ、６３…保持器、７０，１７０…ローラ軸受、７１，１７１…ローラ群、７１ａ，１７１ａ…ローラ、７３，１７３…保持器、７４…傾斜部、７５…平面部、７６…収容孔、７６ａ…内側面、８０，１８０…ローラ軸受、８１，１８１…ローラ群、８１ａ，１８１ａ…ローラ、８３，１８３…保持器、９０…フック、９１…屈曲部、９２…延設部、９３…折り返し部、１３０…スライドテーブル（支持部材）、１３０ａ…透孔、１３１…テーブル本体、１３３…傾斜部、１４０…回転テーブル（回転部材）、１４０ａ…ねじ孔、１４１…テーブル本体、１４２…傾斜部、１４３…延設部、１５０…スリーブ、１５１…先端部、１５１ａ…ねじ、１５２…被覆部、１５３…傾斜部、１５４…延設部。
【図１】
2014024407.tif 000003
【図２】
2014024407.tif 000004
【図３】
2014024407.tif 000005
【図４】
2014024407.tif 000006
【図５】
2014024407.tif 000007
【図６】
2014024407.tif 000008
【図７】
2014024407.tif 000009
【図８】
2014024407.tif 000010
【図９】
2014024407.tif 000011
【図１０】
2014024407.tif 000012
【図１１】
2014024407.tif 000013
【図１２】
2014024407.tif 000014
【図１３】
2014024407.tif 000015
【図１４】
2014024407.tif 000016